(57)【要約】【課題】画像データが外部機器に重複して送信されると不都合が生じる。【解決手段】画像データを記録する記録媒体（２００、２１０）が装着可能であるとともに、装置本体に装着された記録媒体に記録されている画像データを外部機器に送信可能な撮像装置であって、外部機器に対してデータの送受信を行うための通信手段（１１０、１１２）と、この通信手段の動作を制御する制御手段（５０）とを有し、制御手段は、記録媒体に記録された複数の画像データのなかに外部機器に送信された送信済み画像データがあるか否かを判別し、送信済み画像データ以外の画像データを通信手段を介して外部機器に送信する。【選択図】  図１
2004297158.tif 000002
【特許請求の範囲】
【請求項１】
画像データを記録する記録媒体が装着可能であるとともに、装置本体に装着された記録媒体あるいは装置本体内の記録媒体に記録されている画像データを外部機器に送信可能な撮像装置であって、
前記外部機器に対してデータの送受信を行うための通信手段と、
この通信手段の動作を制御する制御手段とを有し、
前記制御手段は、前記記録媒体に記録された複数の画像データのなかに前記外部機器に送信された送信済み画像データがあるか否かを判別し、前記送信済み画像データ以外の画像データを前記通信手段を介して前記外部機器に送信することを特徴とする撮像装置。
【発明の詳細な説明】
【０００１】
【発明の属する技術分野】
本発明は撮像装置に関するものであり、詳しくは、装置本体に装着された記録媒体に格納されているデータ（画像データ等）を外部機器に転送する撮像装置に関するものである。
【０００２】
【従来の技術】
近年、ＩＣメモリカ−ド、磁気記録媒体、光磁気記録媒体、フラッシュメモリ等を記録媒体とするデジタルスチルカメラ等の電子的撮像装置についての多機能化に関する提案が数多くなされている（例えば、特許文献１参照）。この１つとして、外部機器に対して画像データの送受信が可能なデジタルスチルカメラの提案がある。例えば、ＵＳＢ（Ｕｎｉｖｅｒｓａｌ  Ｓｅｒｉａｌ  Ｂｕｓ）経由でカメラをＰＣに接続することで、カメラ内の記録媒体に格納された画像データをＰＣにダウンロードすることが可能である。
【０００３】
【特許文献１】
特開２００２−２５２７９８号公報（第４、５頁、図７）
【０００４】
【発明が解決しようとする課題】
しかしながら、従来のカメラでは、カメラをＰＣに接続して記録媒体内の画像データを一括でＰＣにダウンロードするか、カメラをＰＣ上の外部記憶装置として取り扱い、ユーザが選択した画像だけをＰＣにダウンロードすることしかできない。
【０００５】
例えば、ＩＭＧ＿００１からＩＭＧ＿０５０までの５０枚の撮影画像データが記憶された記録媒体を内蔵しているデジタルスチルカメラをＰＣに接続した場合、ＰＣ内の記憶装置にＩＭＧ＿００１からＩＭＧ＿０５０までの画像データのすべてをダウンロードできる。
【０００６】
しかし、画像データをダウンロードした後にデジタルスチルカメラの記録媒体内の画像データを削除せずに撮影を続けることにより画像枚数がＩＭＧ＿００１からＩＭＧ＿０７５までの７５枚になった場合に、あらためてカメラをＰＣに接続すると再びＩＭＧ＿００１からダウンロードが開始され、先にダウンロードされた画像データと重複する画像データがダウンロードされることになる。
【０００７】
このように重複する画像データのダウンロードを防止するには、ユーザ自らがＩＭＧ＿０５１からＩＭＧ＿０７５の画像を選択し、この選択された画像データだけをＰＣにダウンロードさせる必要がある。
【０００８】
また、カメラからＰＣに画像データをダウンロードした後にユーザが気に入らない画像、例えば上述した５０枚の画像データのうちＩＭＧ＿０１１からＩＭＧ＿０２０の合計１０枚の画像データをＰＣ内の記憶装置から削除しても、カメラの記録媒体内に上記の削除された画像データが含まれていれば、カメラをＰＣに接続した際に、ＰＣ上で削除された画像データが再びダウンロードされてしまうといった問題がある。
【０００９】
上述したような問題があると、デジタルスチルカメラの記録媒体内にお気に入りの画像を残しておいたまま使用し続けるには、不便となる。
【００１０】
さらに、一台のデジタルスチルカメラを複数人で使用する場合において、自分が撮影した画像のみを自分のＰＣにダウンロードさせるときには、大量の撮影画像の中から自分が撮影した画像だけを選択してＰＣにダウンロードさせるといった手順が必要となるため、ユーザにとって使い勝手の良いものとはいえない。
【００１１】
本発明は、上述した問題点に基づいてなされたもので、撮像装置をＰＣ等の外部機器に接続して画像データを外部機器に転送する際のユーザの負担を軽減し、お気に入りの画像を記録媒体内に記録させたまま撮影を続けることができる撮像装置を提供することを目的とする。また、撮像装置を複数のユーザで共有して使用する場合等において、各ユーザにとって使い勝手の良い撮像装置を提供することを目的とする。
【００１２】
【課題を解決するための手段】
本発明は、画像データを記録する記録媒体が装着可能であるとともに、装置本体に装着された記録媒体あるいは装置本体内の記録媒体に記録されている画像データを外部機器に送信可能な撮像装置であって、外部機器に対してデータの送受信を行うための通信手段と、この通信手段の動作を制御する制御手段とを有し、制御手段は、記録媒体に記録された複数の画像データのなかに外部機器に送信された送信済み画像データがあるか否かを判別し、送信済み画像データ以外の画像データを通信手段を介して外部機器に送信することを特徴とする。
【００１３】
【発明の実施の形態】
以下、図面を参照して本発明の実施形態について説明する。
【００１４】
（第１実施形態）
図１は、本発明の第１実施形態であるカメラシステムの構成を示す図である。同図において、１００はカメラ本体であり、交換レンズ３００が着脱可能となっている。すなわち、交換レンズ３００に設けられたレンズマウント３０６を、カメラ本体１００に設けられたマウント１０６に装着したり、外したりすることができる。
【００１５】
まず、カメラ本体１００内の構成について説明する。
【００１６】
１２はシャッタであり、開閉動作によりＣＣＤ等の撮像素子１４への露光量を制御する。１４は光学像を電気信号に変換する撮像素子である。シャッタ１２が開き状態にあるとき、交換レンズ３００に入射した被写体光束は、撮像素子１４上で結像する。
【００１７】
１６は撮像素子１４のアナログ信号出力をデジタル信号に変換するＡ／Ｄ変換器である。１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００１８】
２０は画像処理回路であり、Ａ／Ｄ変換器１６からの画像データ又はメモリ制御回路２２からの画像データに対して所定の画素補間処理や色変換処理を行う。また、画像処理回路２０においては、必要に応じて、撮像した画像データを用いて所定の演算処理が行われる。
【００１９】
システム制御回路５０は、画像処理回２０での演算結果に基づいて、ＴＴＬ（Ｔｈｒｏｕｇｈ  Ｔｈｅ  Ｌｅｎｓ）方式のＡＦ（オートフォーカス）処理、ＡＥ（自動露出）処理、ＥＦ（フラッシュ調光）処理を行うことができる。
【００２０】
さらに、画像処理回路２０においては、撮像した画像データを用いて所定の演算処理を行い、得られた演算結果に基づいてＴＴＬ方式のＡＷＢ（オートホワイトバランス）処理も行っている。
【００２１】
なお、本実施形態においては、焦点検出部４２及び測光部４６を専用に備えているため、焦点検出部４２及び測光部４６の出力に基づいてＡＦ処理、ＡＥ処理、ＥＦ処理の各処理を行ってもよい。
【００２２】
また、焦点検出部４２及び測光部４６の出力に基づいてＡＦ処理、ＡＥ処理、ＥＦ処理の各処理を行うとともに、画像処理回路２０の出力に基づいてＡＦ処理、ＡＥ処理、ＥＦ処理の各処理を行うようにしてもよい。
【００２３】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２の動作を制御する。Ａ／Ｄ変換器１６からの画像データは、画像処理回路２０およびメモリ制御回路２２を介して、又は直接メモリ制御回路２２を介して、画像表示メモリ２４又はメモリ３０に書き込まれる。
【００２４】
２４は画像表示メモリ、２６はＤ／Ａ変換器、２８はＴＦＴ  ＬＣＤ等から成る画像表示部である。画像表示メモリ２４に書き込まれた表示用の画像データは、Ｄ／Ａ変換器２６を介して画像表示部２８に出力され、撮影画像として表示される。
【００２５】
３０は撮影した静止画像データを格納するためのメモリであり、所定枚数の静止画像データを格納するのに十分な記憶量を備えている。これにより、複数枚の静止画像を連続して撮影する連写撮影の場合にも、高速かつ大量の画像データの書き込みをメモリ３０に対して行うことが可能となる。また、メモリ３０はシステム制御回路５０の作業領域としても使用することが可能である。
【００２６】
３２は適応離散コサイン変換（ＡＤＣＴ）等により画像データを圧縮又は伸長する圧縮・伸長回路であり、メモリ３０に格納された画像データを読み込んで圧縮処理又は伸長処理を行い、処理を終えたデータをメモリ３０に書き込む。
【００２７】
４０はシャッタ制御部であり、システム制御部５０からの命令を受けてシャッタ１２の駆動を制御する。
【００２８】
４２は焦点検出部であり、システム制御回路５０からの命令を受けて撮影光学系の焦点調節状態を検出し、この検出結果をシステム制御回路５０に送る。ハーフミラー１３０が撮影光路上に斜設されている状態において、交換レンズ３００内に入射した被写体光は、ハーフミラー１３０の背面に設けられた不図示のサブミラーで反射して焦点検出部４２に導かれる。焦点検出部４２は、被写体光を受光することで、コントラスト検出方式又は位相差検出方式により撮影光学系の焦点調節状態を検出する。
【００２９】
システム制御回路５０は、焦点検出部４２の検出結果に基づいて後述するように撮影レンズ（フォーカスレンズ）３１０を駆動することにより、撮影光学系を合焦状態とする（ＡＦ処理）。
【００３０】
なお、焦点検出部４２での検出結果（位相差検出方式による焦点調節状態）と、撮像素子１４によって撮像された画像データを用いて画像処理回路２０によって演算された演算結果（コントラスト検出方式による焦点調節状態）とに基づいてＡＦ処理を行ってもよい。
【００３１】
４６は測光部であり、システム制御回路５０からの命令を受けて被写体輝度を測定（測光）し、この測光結果をシステム制御回路５０に送る。交換レンズ３００内に入射した被写体光は、ハーフミラー１３０およびミラー１３２で反射し、不図示の測光用レンズを通過してから測光部４６で受光される。
【００３２】
システム制御回路５０は、測光部４６の測光結果に基づいて露出値（シャッタ速度や絞り値）を演算し、この演算結果に基づいてシャッタ１２や絞り３１２の駆動を制御する（ＡＥ処理）。
【００３３】
また、ストロボ４８を駆動（発光）しているときには、被写体で反射したストロボ光が測光部４６で受光されるようになっており、システム制御回路５０は、測光部４６からの出力に基づいてストロボ４８の発光量を制御する（ＥＦ処理）。
【００３４】
４８はストロボであり、システム制御回路５０からの命令を受けて被写体に向けて照明光を照射する。このストロボ４８は、ＡＦ補助光の投光機能やストロボ調光機能を有する。
【００３５】
なお、測光部４６での測光結果と、撮像素子１４によって撮像した画像データを用いて画像処理回路２０によって演算された演算結果とに基づいてＡＥ処理を行っても構わない。
【００３６】
５０はカメラ本体１００全体の動作を制御するシステム制御回路（制御手段）、５２はシステム制御回路５０の動作用の定数、変数、プログラム等を記憶するメモリである。
【００３７】
５４は表示部であり、システム制御回路５０でのプログラムの実行に応じて、文字、画像、音声等を用いてカメラの動作状態やメッセージ等の内容を撮影者に知らせる。この表示部５４は、カメラ本体１００の操作部の近傍であって、撮影者にとって視認し易い位置に配置されており、例えばＬＣＤやＬＥＤ、発音素子の組み合わせにより構成されている。
【００３８】
表示部５４に表示される内容のうち一部の内容は、不図示の表示部によって光学ファインダ１０４内に表示される。
【００３９】
ここで、表示部５４のＬＣＤに表示されるものとしては、例えば、単写／連写撮影表示、セルフタイマ表示、圧縮率表示、記録画素数表示、記録枚数表示、残り撮影可能枚数表示、シャッタ速度表示、絞り値表示、露出補正表示、ストロボ表示、赤目緩和表示、ブザー設定表示、電池残量表示、エラー表示、複数桁の数字による情報表示、記録媒体２００２、１０の着脱状態表示、交換レンズ３００の着脱状態表示、通信Ｉ／Ｆ動作表示、日付・時刻表示、外部コンピュータとの接続状態表示がある。
【００４０】
また、表示部５４の表示内容のうち光学ファインダ１０４内に表示されるものとしては、例えば、合焦表示、撮影準備完了表示、手振れ警告表示、フラッシュ充電表示、フラッシュ充電完了表示、シャッタ速度表示、絞り値表示、露出補正表示、記録媒体書き込み動作表示がある。
【００４１】
さらに、表示部５４のＬＥＤに表示されるものとしては、例えば、記録媒体書き込み動作表示がある。そして、表示部５４のうちランプ等で表示するものとしては、例えば、セルフタイマ通知ランプがある。このセルフタイマ通知ランプは、ＡＦ補助光として利用することができる。
【００４２】
５６は電気的に消去・記録可能な不揮発性メモリであり、このメモリとしては、例えばＥＥＰＲＯＭが用いられる。
【００４３】
６０、６２、６４、６６、６８及び７０は、システム制御回路５０に対して各種の動作指示を行うために操作される操作部材であり、スイッチやダイアル等、又はこれらの組み合わせによって構成される。以下、これらの操作部材について具体的に説明する。
【００４４】
６０はモードダイアルスイッチであり、システム制御回路５０に対して各種の撮影モードの切り替えを指示する。この撮影モードとしては、自動撮影モード、プログラム撮影モード、シャッタ速度優先撮影モード、絞り優先撮影モード、マニュアル撮影モード、焦点深度優先（デプス）撮影モード、ポートレート撮影モード、風景撮影モード、接写撮影モード、スポーツ撮影モード、夜景撮影モード、パノラマ撮影モード等がある。
【００４５】
６２はシャッタスイッチ（ＳＷ１）であり、カメラ本体１００に設けられた不図示のシャッタボタンの半押し操作によってＯＮ状態となる。ｓｗ１がＯＮ状態となることで、システム制御回路５０に対して、ＡＦ処理、ＡＥ処理、ＡＷＢ処理、ＥＦ処理等の撮影準備動作の開始を指示する。
【００４６】
６４はシャッタスイッチ（ＳＷ２）であり、シャッタボタンの全押し操作によってＯＮ状態となり、システム制御回路５０に対して撮影動作の開始を指示する。これにより、撮像素子１２から読み出した信号（画像データ）を、Ａ／Ｄ変換器１６、メモリ制御回路２２を介してメモリ３０に書き込む露光処理が行われる。また、画像処理回路２０やメモリ制御回路２２による画像データの現像処理（色処理等）や、メモリ３０から画像データを読み出し、圧縮・伸長回路３２で圧縮処理を行い、記録媒体２００、２１０に画像データを書き込む記録処理が行われる。
【００４７】
６６は再生スイッチであり、システム制御回路５０に対して撮影画像の再生表示動作を指示する。カメラシステムが撮影モード状態に設定されているとき、システム制御回路５０は、再生スイッチ６６からの指示を受けることで、撮影した画像をメモリ３０又は記録媒体２００、２１０から読み出して画像表示部２８に表示させる。
【００４８】
６８は単写／連写スイッチであり、システム制御回路５０に対して単写撮影又は連写撮影の指示を行う。単写撮影モードが設定されているときには、ＳＷ２がＯＮ状態となることで１駒の撮影を行ってから撮影待機状態となる。また、連写撮影モードが設定されているときには、ＳＷ２がＯＮ状態となることで複数駒の撮影が連続して行われてから撮影待機状態となる。
【００４９】
７０は各種ボタンやタッチパネル等からなる操作部である。この操作部７０には、メニューボタン、セットボタン、マルチ画面再生改ページボタン、ストロボ設定ボタン、単写／連写／セルフタイマ切り替えボタン、メニュー移動＋（プラス）ボタン、メニュー移動−（マイナス）ボタン、再生画像移動＋（プラス）ボタン、再生画像移動−（マイナス）ボタンがある。
【００５０】
また、撮影画質選択ボタン、露出補正ボタン、日付／時間設定ボタン、画像表示部２８のＯＮ／ＯＦＦ状態を設定する画像表示ＯＮ／ＯＦＦスイッチ、撮影直後に撮影した画像データを自動再生するクイックレビュー機能を設定するクイックレビューＯＮ／ＯＦＦスイッチ、ＪＰＥＧ方式の圧縮処理における圧縮率を選択するため又は撮像素子１４の出力信号をそのままデジタル化して記録媒体に記録するＣＣＤＲＡＷモードを選択するためのスイッチである圧縮モードスイッチがある。
【００５１】
さらに、再生モード、マルチ画面再生・消去モード、ＰＣ接続モード等の各機能モードを設定することができる再生スイッチ、シャッタボタンの半押し操作によりＡＦ動作を開始して一旦合焦したならばその合焦状態を保ち続けるワンショットＡＦモードとシャッタボタンが半押し操作されている間は連続してＡＦ動作を続けるサーボＡＦモードとを設定することができるＡＦモード設定スイッチがある。
【００５２】
ここで、上記の＋（プラス）ボタン及び−（マイナス）ボタンを回転ダイアル式の構成とすれば、より軽快に数値や機能を選択することができる。
【００５３】
７２は電源スイッチであり、システム制御回路５０に対してカメラ本体１００の電源ＯＮ／ＯＦＦの指示を行う。この電源スイッチ７２の操作により、カメラ本体１００に装着される装置、例えば、交換レンズ３００、外付けのストロボ装置、記録媒体２００、２１０の電源ＯＮ／ＯＦＦを切り替えることもできる。
【００５４】
８０は電源制御部であり、電池検出回路、ＤＣ−ＤＣコンバータ、通電するブロックを切り替えるスイッチ回路等により構成されている。この電源制御部８０は、電池の装着の有無、電池の種類、電池残量の検出を行い、この検出結果及びシステム制御回路５０からの指示に基づいてＤＣ−ＤＣコンバータを制御し、必要な電圧を必要な期間、記録媒体を含む各部へ供給する。
【００５５】
８２、８４はコネクタであり、８６はアルカリ電池やリチウム電池等の一次電池、ＮｉＣｄ電池、ＮｉＭＨ電池、Ｌｉ電池等の二次電池又は、ＡＣアダプター等からなる電源である。
【００５６】
９０、９４はメモリカードやハードディスク等の記録媒体２００、２１０とのインタフェース、９２、９６は記録媒体２００、２１０との接続を行うコネクタである。９８はコネクタ９２、９６に記録媒体２００、２１０が装着されているか否かを検知する記録媒体着脱検知回路である。
【００５７】
なお、本実施形態では、記録媒体を取り付けるインタフェース及びコネクタを２系統持つものとして説明しているが、このインタフェース及びコネクタの数を、単数又は２つ以上としてもよい。また、異なる規格のインタフェース及びコネクタを組み合わせた構成としてもよい。
【００５８】
インタフェース及びコネクタとしては、ＰＣＭＣＩＡカードやＣＦ（コンパクトフラッシュ（登録商標））カード等の規格に準拠したものを用いて構成することができる。
【００５９】
ここで、インタフェース９０、９４およびコネクタ９２、９６をＰＣＭＣＩＡカードやＣＦカード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード等の各種通信カードを接続することにより、他のコンピュータやプリンタ等の周辺機器（外部機器）との間で画像データや画像データに付属した管理情報を転送し合うことができる。
【００６０】
１０４は光学ファインダである。交換レンズ３００内に入射した光は、ハーフミラー１３０およびミラー１３２で反射されて光学ファインダ１０４に導かれ、これにより撮影者は光学ファインダ１０４を介して被写体像を観察することができる。
【００６１】
本実施形態のカメラシステムにおいて、撮影者は、画像表示部２８に撮影画像が表示されることで被写体像を観察することができるとともに、光学ファインダ１０４を介して被写体像を観察することができる。
【００６２】
また、上述したように光学ファインダ１０４内には、表示部５４の表示内容の一部が表示されるため、撮影者は光学ファインダ１０４を覗くことにより、被写体像および所定の表示内容を観察することができる。ここで、光学ファインダ１０４内に表示される内容としては、例えば、合焦表示、手振れ警告表示、フラッシュ充電表示、シャッタ速度表示、絞り値表示、露出補正表示がある。
【００６３】
１１０は通信部（通信手段）であり、ＲＳ２３２Ｃ、ＵＳＢ、ＩＥＥＥ１３９４、Ｐ１２８４、ＳＣＳＩ、モデム、ＬＡＮ、無線通信等の各種の通信機能を有する。この通信機能により他のコンピュータやプリンタ等の周辺機器（外部機器）との間で画像データや画像データに付属した管理情報を転送し合うことができる。画像データの転送に関しての詳細は後述する。
【００６４】
１１２はカメラ本体１００と周辺機器（コンピュータやプリンタ等）とを接続するためのコネクタ（通信手段）である。ここで、無線通信の場合にはアンテナとなる。
【００６５】
１２０は、カメラ本体１００を交換レンズ３００と接続するためのインタフェースである。１２２はカメラ本体１００に設けられたコネクタであり、交換レンズ３００に設けられたコネクタ３２２と連結することにより、カメラ本体１００および交換レンズ３００を電気的に接続する。
【００６６】
これにより、カメラ本体１００および交換レンズ３００間で、制御信号、状態信号、データ信号等のやり取りを行うことができるとともに、カメラ本体１００から交換レンズ３００に電流を供給することができる。
【００６７】
１２４はレンズ着脱検知部であり、カメラ本体１００に交換レンズ３００が装着されているか否かを検知し、この検知結果をシステム制御回路５０に送る。なお、コネクタ１２２を、電気通信のみならず、光通信、音声通信等が可能な構成としてもよい。
【００６８】
１３０はハーフミラーであり、撮影光路に対して進退可能となっている。ハーフミラー１３０が撮影光路上に斜設されている場合には、交換レンズ３００から入射した被写体光の一部を透過させるとともに、残りをミラー１３２に反射させる。ハーフミラー１３０を透過した光は、ハーフミラー１３０の背面に一体的に形成されたサブミラーで反射し、上述したように焦点検出部４２等に導かれる。
【００６９】
一方、ハーフミラー１３０が撮影光路から退避したときには、交換レンズ３００からの被写体光が撮像素子１４で受光されるようになっている。
【００７０】
１３２はミラーであり、ハーフミラー１３０から導かれた被写体光を光学ファインダ１０４や測光部４６側に反射させる。なお、ミラー１３２は、クイックリターンミラーの構成としてもよいし、ハーフミラーの構成としてもよい。
【００７１】
２００はメモリカードやハードディスク等の記録媒体である。記録媒体２００は、半導体メモリや磁気ディスク等から構成される記録部２０２と、カメラ本体１００とのインタフェース２０４と、カメラ本体１００のコネクタ９２と接続するコネクタ２０６とを備えている。
【００７２】
２１０はメモリカードやハードディスク等の記録媒体である。記録媒体２１０は、半導体メモリや磁気ディスク等から構成される記録部２１２と、カメラ本体１００とのインタフェース２１４と、カメラ本体１００のコネクタ９６と接続するコネクタ２１６とを備えている。
【００７３】
次に、交換レンズ３００内の構成について説明する。
【００７４】
３０６は、交換レンズ３００をカメラ本体１００（マウント１０６）に機械的に結合するレンズマウントである。このレンズマウント３０６には、交換レンズ３００およびカメラ本体１００を電気的に接続するためのコネクタ３２２等が設けられている。
【００７５】
３１０は撮影レンズであり、３１２は光量を調節するための絞りである。３２０は、レンズマウント３０６に設けられ、交換レンズ３００およびカメラ本体１００を接続するためのインタフェースであり、３２２は交換レンズ３００をカメラ本体１００と電気的に接続するためのコネクタである。
【００７６】
交換レンズ３００をカメラ本体１００に装着することにより、交換レンズ３００およびカメラ本体１００間で、制御信号、状態信号、データ信号等のやり取りを行うことができるとともに、カメラ本体１００から電流の供給を受けたり、カメラ本体１００に電流を供給したりすることができる。なお、コネクタ３２２を、電気通信のみならず、光通信、音声通信等が可能な構成としてもよい。
【００７７】
３４０は絞り駆動回路であり、レンズ制御回路３５０からの命令を受けて絞り３１２を駆動する。これにより、絞り３１２の口径を切り替えることができる。
【００７８】
３４２はフォーカス駆動回路であり、レンズ制御回路３５０からの命令を受けて撮影レンズ３１０のうちフォーカスレンズを駆動する。これにより、フォーカスレンズは光軸方向に移動して、所定の合焦位置で停止する。
【００７９】
３４４はズーム駆動回路であり、レンズ制御回路３５０からの命令を受けて撮影レンズ３１０のうちズームレンズを駆動する。これにより、ズームレンズが光軸方向に移動して撮影光学系の焦点距離を変更する。
【００８０】
本実施形態において、レンズ制御回路３５０は、インタフェース１２０、３２０を介してシステム制御回路５０からの命令を受けることにより、絞り駆動回路３４０、フォーカス駆動回路３４２およびズーム駆動回路３４４の駆動を制御することになる。
【００８１】
３５０は交換レンズ３００全体の動作を制御するレンズ制御回路である。レンズ制御回路３５０は、動作用の定数、変数、プログラム等を記憶するメモリや、交換レンズ３００固有の番号等の識別情報、管理情報、開放絞り値や最小絞り値、焦点距離等の機能情報、現在や過去の各設定値などを保持する不揮発メモリの機能を備えている。
【００８２】
本実施形態のカメラシステムでは、記録媒体２００内の画像データをコンピュータ（ＰＣ）に転送すると、この転送した画像データには転送先のＰＣに応じた転送履歴が付加される。
【００８３】
ここで、本実施形態のカメラシステムとコンピュータとの接続方法は、ＰＣＭＣＩＡカード経由の接続以外にもカメラ内部にＩ／Ｆ回路を備え直接ＵＳＢなどで接続する有線を用いた形態や、無線を用いた形態とすることができる。
【００８４】
メモリ３０に格納された画像データは、圧縮回路３２によりデータ圧縮処理を受けた後に再びメモリ３０に格納される。ここで、データ圧縮処理を受けた画像データには、撮影の日時、シャッタ速度、絞り値などの撮影時の撮影情報を示す撮影情報データが添付される。このため、記録媒体２００（２１０）には、画像データと撮影情報データとが関連付けて記録される。
【００８５】
図２は、記録媒体２００に記録されたデータ（画像データおよび撮影情報データ）のデータファイル構造を示す図である。
【００８６】
電子カメラで記録された画像データの名称は、図２に示すようにルートディレクトリ４００の下に「ＤＣＩＭ（Ｄｉｇｉｔａｌ  Ｃａｍｅｒａ  ＩＭａｇｅｓ）」というディレクトリ４１０を付与することにより区別することがＤＣＦ（Ｄｅｓｉｇｎｒｕｌｅ  ｆｏｒ  Ｃａｍｅｒａ  Ｆｉｌｅ  ｓｙｓｔｅｍ）により定められている。
【００８７】
「ＤＣＩＭ」のディレクトリ４１０には、複数のサブディレクトリ４３０が設けられている。また、各サブディレクトリ４３０には、画像データファイル４４１と、撮影情報データファイル４４２とが設けられている。撮影情報データファイル４４２は、各サブディレクトリ４３０に１つずつ設けられている。
【００８８】
図３は、撮影情報データファイル４４２に記録されている撮影情報データの一例を示す図である。図３には、「ＩＭＧ＿０００１．ＪＰＧ」というファイル名で記録されている画像データの撮影情報を示す。
【００８９】
本実施形態では、複数の画像データのうち各画像データに対応して設けられた撮影情報データのすべてを１つのファイル（撮影情報データファイル４４２）にまとめて記録している。これにより、撮影情報データファイル４４２を読み出すだけで、複数の画像データを１つずつ読み出すことなく、複数の画像データのうち各画像データがどのような撮影条件で撮影された画像データであるかを知ることができる。
【００９０】
次に、本実施形態のカメラシステムの具体的な使用例について説明する。本実施形態では、所定のＰＣに記録媒体２００内の画像データを転送すると、サブディレクトリ毎に１つ作成される撮影情報データファイル４４２に、転送された画像データに対応して上記所定のＰＣへの転送履歴が記憶されるようになっている。
【００９１】
カメラ本体１００からＰＣへの転送イメージ図を図４に示す。図４は、カメラ本体１００から複数のＰＣに接続して使用する場合を示したものである。
【００９２】
カメラ本体１００を複数のＰＣのうちいずれか１のＰＣに接続すると、システム制御部５０は、記録媒体２００に記録されたデータ（画像データを含む）を上記ＰＣに転送し、転送された画像データが上記ＰＣで保存される。このとき、システム制御回路５０は、転送された画像データに対して転送先のＰＣ固有のＩＤ（属性データ、転送履歴）を添付して撮影情報データファイル４４２に記録する。
【００９３】
すなわち、撮影情報データファイル４４２には、転送される画像データに対応して、この画像データを転送した先のＰＣを一意に特定できるＩＤが記憶される。
【００９４】
ここで、データ転送のときに、データ転送先のＰＣ内に、画像データとともにＰＣ本体を特定する固有のＩＤを保存させておいたり、ＰＣのオペレーションシステム上で動作するカメラ接続用のアプリケーションによりレジストリ記憶などの方法でＰＣ固有のＩＤを記憶させておいたりすることができる。
【００９５】
これにより、カメラ本体１００を新たなＰＣに接続するたびに、接続先のＰＣには、このＰＣ固有のＩＤが記憶される。そして、ＩＤが記憶されたＰＣにカメラ本体１００を接続すると、システム制御回路５０は、ＰＣとの通信によってＰＣ固有のＩＤを取得でき、接続先のＰＣを特定することができる。
【００９６】
ＰＣにデータを転送した後、記録媒体２００内に記録されている画像データのすべてを消去してから撮影を行った場合、記録媒体２００内には新たな画像データが記録される。この後、カメラ本体１００をＰＣに接続すると、システム制御回路５０は、上述したように記録媒体２００内に記録された新たな画像データをＰＣに転送するとともに、この転送した画像データに対して新たなＩＤを添付する。
【００９７】
一方、ＰＣに画像データを転送した後、記録媒体２００内に記録されている画像データを消去せずに撮影を行った場合には、記録媒体２００に予め記録されている画像データに加えて新たな画像データが記録媒体２００に記録される。
【００９８】
この状態において、カメラ本体１００を先にデータ転送を行ったＰＣと同一のＰＣに接続すると、システム制御回路５０は、図５に示すフローに従って動作する。
【００９９】
同図のステップＳ１において、カメラ本体１００に接続されたＰＣとの通信を行うことにより、このＰＣ内に記憶されたＰＣ固有のＩＤを取得して、接続されたＰＣの判別を行う。
【０１００】
ステップＳ２では、記録媒体２００に記録された複数の画像データのうち接続先のＰＣに転送された画像データがあるか否かを判別する。具体的には、ステップＳ１で得られたＰＣ固有のＩＤと、画像データに対応して設けられたＩＤとを比較して、転送済みの画像データがあるか否かを判別する。
【０１０１】
ここで、両者のＩＤが一致している場合には、このＩＤに対応した画像データは転送済みの画像データとなり、ＩＤが一致していない場合には、このＩＤに対応した画像データは転送されていない画像データとなる。
【０１０２】
ステップＳ２において、転送履歴のある画像データがない場合にはステップＳ３に進み、転送履歴の画像データがある場合にはステップＳ４に進む。
【０１０３】
ステップＳ３では、記録媒体２００に記録されているすべての画像データを通信部１１０およびコネクタ１１２を介してＰＣに転送する。そして、ステップＳ５において、転送した画像データに転送先のＰＣ固有のＩＤを付加して記録媒体２００に記録する。
【０１０４】
一方、ステップＳ４では、記録媒体２００に記録された画像データのうち転送履歴のない画像データだけを通信部１１０およびコネクタ１１２を介してＰＣに転送する。そして、ステップＳ５において、転送した画像データに転送先のＰＣ固有のＩＤを付加して記録媒体２００に記録する。
【０１０５】
図４において、ＰＣ（００１）にはＩＭＧ＿００１〜ＩＭＧ＿００３のファイル名を有する画像データが予め転送されており、カメラ本体１００内の記録媒体２００に記録された画像データ（ＩＭＧ＿００１〜ＩＭＧ＿００６）のうちＩＭＧ＿００１〜ＩＭＧ＿００３の画像データには、ＰＣ（００１）のＩＤが付加されている。
【０１０６】
ここで、カメラ本体１００をＰＣ（００１）に接続した場合には、図５に示すフローチャートで説明したように、記録媒体２００に記録されている画像データ（ＩＭＧ＿００１〜ＩＭＧ＿００６）のうちＩＭＧ＿００４〜ＩＭＧ＿００６の画像データがＰＣ（００１）に転送されることになる。
【０１０７】
画像データの転送が終了すると、ＩＭＧ＿００４〜ＩＭＧ＿００６の各画像データに対応した撮影情報データにＰＣ（００１）のＩＤが付加される。
【０１０８】
一方、ＰＣ（００２）には、ＩＭＧ＿００１〜ＩＭＧ＿００５の画像データが予め転送されており、記録媒体２００に記録された画像データのうちＩＭＧ＿００１〜ＩＭＧ＿００５の画像データには、ＰＣ（００２）のＩＤが付加されている。
【０１０９】
ここで、カメラ本体１００をＰＣ（００２）に接続すると、図５のフローチャートで説明したように、記録媒体２００に記録されている画像データ（ＩＭＧ＿００１〜ＩＭＧ＿００６）のうちＩＭＧ＿００６の画像データだけがＰＣ（００２）に転送されることになる。
【０１１０】
画像データの転送が終了すると、ＩＭＧ＿００６の画像データに対応した撮影情報データにＰＣ（００２）のＩＤが付加される。
【０１１１】
上述したように本実施形態のカメラシステムによれば、カメラ本体１００に装着された記録媒体２００に画像データを残したまま撮影を続ける場合でも、ユーザにわずらわしい手間をかけることなく所望の画像（新たに撮影された画像）だけをＰＣ等の周辺機器に転送することができる。
【０１１２】
また、カメラ本体１００が接続されるＰＣの判別を行うことにより、カメラ本体１００を一時的に異なるＰＣに接続しても、接続先のＰＣに応じて画像データを転送するため、画像データの転送の際のカメラの使い勝手を向上させることができる。
【０１１３】
例えば、ユーザが普段使用しているＰＣに画像データを転送した後に撮影を続けた場合において、その後他のＰＣに数枚の画像データを転送しても、カメラ本体１００を上記の普段使用しているＰＣに接続すれば前回転送された画像データ以外の新たな画像データだけを転送することができる。
【０１１４】
本実施形態では、撮影情報データファイル４４２にＰＣへの転送履歴（ＰＣ固有のＩＤ）を記憶させておき、この記憶された転送履歴に基づいて転送済みの画像データかどうかを判別したが、他の方法を用いて転送済みの画像データであるか否かを判別するようにしてもよい。
【０１１５】
具体的には、記録媒体２００に記録された複数の画像データと、カメラ本体１００に接続されたＰＣ内に保存されている複数の画像データとを、一部又は全部で比較して判別することができる。また、ファイル名や、撮影情報データファイル４４２に記録された情報（ＩＤ以外の撮影情報データ）に基づいて判別することができる。
【０１１６】
一方、ＰＣに転送された画像データをＰＣ上で削除した場合において、記録媒体２００内に画像データの転送履歴が残っていれば、ＰＣ上で削除された画像データが再びＰＣに転送されるといった不都合もなくなる。ここで、削除した画像データであっても、再びＰＣに転送する場合には、カメラ本体１００側で転送する画像を指定してＰＣに転送することになる。
【０１１７】
また、カメラ本体に着脱可能な記録媒体２００に記録された複数の画像データをＰＣへ転送させる例を挙げて説明したが、本発明はこれに限られるものではなく、メモリ３０に記録された複数の画像データをＰＣへ転送させる構成であってもよい。
【０１１８】
なお、本実施形態では、交換レンズ３００およびカメラ本体１００からなるカメラシステムについて説明したが、交換レンズおよびカメラ本体が一体的に構成されたカメラについても本発明を適用することができる。
【０１１９】
（第２実施形態）
次に、本発明の第２実施形態であるカメラシステムについて説明する。本実施形態のカメラシステムは、第１実施形態で説明したカメラシステム（図１）と同じ構成となっているため、説明を省略する。
【０１２０】
第１実施形態では、各画像データにＰＣ固有のＩＤを添付するものであるが、本実施形態では、各画像データに各種のＩＤ（例えば、ユーザや撮影テーマに関するＩＤ）を添付するものである。
【０１２１】
本実施形態のカメラシステムを複数のユーザで共有するような場合について説明する。
【０１２２】
本実施形態では、撮影情報データファイル４４２に、各画像データに対応させてユーザに関するＩＤ（ユーザＩＤ）や、撮影テーマに関するＩＤ（テーマＩＤ）を記録することができるようになっている。ユーザＩＤやテーマＩＤを設定すると、このデータがカメラ本体１００のメモリ３０に記憶される。
【０１２３】
そして、メモリ３０にユーザＩＤやテーマＩＤを記憶させた状態において撮影を行うと、撮像素子１４によって撮像された画像データが、この撮影時での撮影情報（メモリ３０に記憶されたユーザＩＤやテーマＩＤを含む）を示すデータとともに記録媒体２００（２１０）に記録されることで、一連の撮影処理が終了する。
【０１２４】
ここで、次の撮影を行うと、先に行われた撮影時のＩＤ（ユーザＩＤ又はテーマＩＤ）と同一のＩＤが画像データに添付されて記録媒体２００に記録される。
【０１２５】
このように、メモリ３０に記憶されているＩＤを書き換えない限り、画像データには同一のＩＤが添付される。一方、カメラ本体１００の操作部７０（選択手段）の操作によりＩＤを設定し直したり、カメラ本体１００に接続されたコンピュータ（選択手段）上でＩＤを設定し直してからカメラ本体１００に転送したりすることで、画像データに添付されるＩＤを変更することができる。
【０１２６】
設定したユーザＩＤやテーマＩＤに関する情報を表示部５４又は画像表示部２８に表示したり、音声によってユーザに知らせたりすることにより、設定されたＩＤを撮影者に知らせることができる。これにより、ユーザは、撮影される画像データに対してＩＤを間違えずに、所望のＩＤを付加することができる。
【０１２７】
ユーザＩＤやテーマＩＤを設定する方法としては、上述したように、カメラ本体１００側（操作部７０）で設定したり、カメラ本体１００に接続されるＰＣ側で設定したりすることができる。
【０１２８】
ここで、身近にＰＣがない場合であって、カメラシステムを使用するユーザが代わったり、撮影対象が変わることによって撮影テーマが代わったりする場合には、カメラ本体１００の操作部７０を操作することにより、その場でユーザＩＤやテーマＩＤを変更することができる。
【０１２９】
記録媒体２００内のデータ（画像データ）は、カメラ本体１００に接続されたＰＣへ転送されて保存されたり、ＰＣ経由又はカメラ本体１００にダイレクトに接続されたプリンタ装置に転送されてプリントアウトされたりする。
【０１３０】
本実施形態では、ＰＣやプリンタ装置に転送する画像データを、ユーザＩＤやテーマＩＤに基づいて特定することができる。すなわち、ユーザＩＤやテーマＩＤの内容を特定することで、この特定されたＩＤに対応する画像データをまとめてＰＣやプリンタ装置に転送することができる。
【０１３１】
例えば、ユーザが自己のＰＣに画像データを転送する場合には、操作部７０の操作によって自己のユーザＩＤを指定することにより、記録媒体２００内に記録された複数の画像データのうち自分の撮影した画像だけを自己のＰＣに転送することができる。
【０１３２】
また、記録媒体２００に運動会の画像、花の画像、旅行の際のスナップなどが含まれている場合に、運動会、花、旅行を示すテーマＩＤのうちいずれかのテーマＩＤをカメラ本体１００に入力すれば、入力されたテーマＩＤに対応する画像データだけをＰＣに転送することができる。
【０１３３】
なお、ＰＣのオペレーティングシステム上で動作するカメラ接続用のアプリケーションからユーザＩＤやテーマＩＤを指示することでも、この指示するＩＤに対応した画像データをＰＣに転送することができる。
【０１３４】
図６を用いて本実施形態であるカメラシステムの具体的な使用例について説明する。
【０１３５】
図６において、撮影情報データファイル４４２に記録されるＩＤ１は、ユーザＩＤ用に割り当てられており、「ＩＤ１＝００１」はユーザＡを示し、「ＩＤ＝００２」はユーザＢを示す。また、撮影情報データファイル４４２に記録されるＩＤ２は、テーマＩＤ用に割り当てられており、「ＩＤ２＝００１」は撮影テーマが運動会であることを示し、「ＩＤ２＝００２」は撮影テーマが旅行であることを示し、「ＩＤ２＝００３」は撮影テーマが花であることを示す。
【０１３６】
ユーザＩＤやテーマＩＤを設定すると、撮影によって得られた画像データとともに、設定されたＩＤが記録媒体２００に記録される。
【０１３７】
図６において、カメラ本体１００に装着された記録媒体２００内には、ＩＭＧ＿００１〜ＩＭＧ＿００６の画像データと、この画像データに対応してユーザＩＤ（ＩＤ１）およびテーマＩＤ（ＩＤ２）とが記録されている。
【０１３８】
このカメラ本体１００を、ユーザＢでログインされているＰＣ（００３）に接続して画像データを転送する動作について説明する。
【０１３９】
ユーザＢは、ＰＣ（００３）に転送する画像データを特定するために、操作部７０を操作してユーザＩＤを選択する。システム制御回路５０は、図７のステップＳ１１において、記録媒体２００に記録されたＩＭＧ＿００１〜ＩＭＧ＿００６の画像データのうち選択されたユーザＩＤに対応する画像データを特定する。図６では、「ＩＤ１＝００２」に対応した画像データ（ＩＭＧ＿００３とＩＭＧ＿００５）が特定される。
【０１４０】
ステップＳ１２では、ＰＣ（００３）との通信を行うことにより、このＰＣ（００３）において設定されたユーザに関する情報（ユーザ情報）を取得する。
【０１４１】
ステップＳ１３では、ステップＳ１２で取得したユーザ情報と、ユーザＢにより選択されたユーザＩＤとに基づいて、ユーザが一致しているか否かを判別する。そして、ユーザが一致している場合にはステップＳ１４に進む。
【０１４２】
ステップＳ１４では、第１実施形態で説明したのと同様にＰＣ（００３）に対する転送履歴に基づいてＰＣ（００３）に転送する画像データを特定する。図６において、カメラ本体１００に接続されたＰＣ（００３）内には予めＩＭＧ＿００３の画像データが転送されているため、ステップＳ１１で特定されたＩＭＧ＿００３およびＩＭＧ＿００５の画像データのうち転送されていないＩＭＧ＿００５の画像データを、ＰＣ（００３）に転送する画像データとする。
【０１４３】
ステップＳ１５では、ステップＳ１４で特定されたＩＭＧ＿００５の画像データをＰＣ（００３）に転送するとともに、転送した画像データに対してＰＣ（００３）の転送履歴を付加する。
【０１４４】
一方、ステップＳ１３において、ＰＣ（００３）のユーザ情報とユーザＩＤとに基づいて、ユーザが一致していないと判断した場合には、画像データの転送を行わない。
【０１４５】
次に、図８に示すフローチャートを用いてテーマＩＤに応じた画像データを図６のＰＣ（００４）に転送するときの動作について説明する。
【０１４６】
ユーザが、ＰＣ（００４）に転送する画像データを特定するために、操作部７０を操作してテーマＩＤを花に関するテーマＩＤを選択すると、システム制御回路５０は、ステップＳ２１において、操作部７０からの入力に応じて、記録媒体２００に記録されたＩＭＧ＿００１〜ＩＭＧ＿００６の画像データのうち「花」のテーマＩＤに応じた画像データを特定する。
【０１４７】
図６では、「ＩＤ２＝００３」に対応した画像データ（ＩＭＧ＿００１〜ＩＭＧ＿００３、ＩＭＧ＿００５）が特定される。
【０１４８】
ステップＳ２２では、ＰＣ（００４）との通信を行うことにより、このＰＣ（００４）の判別を行う。
【０１４９】
ステップＳ２３では、ステップＳ２２におけるＰＣの判別結果に基づいて、ステップＳ２１で特定した画像データのうちＰＣ（００４）に予め転送されてある（転送履歴のある）画像データ以外の画像データを特定する。
【０１５０】
図６に示すように、ＰＣ（００４）内には既にＩＭＧ＿００１〜ＩＭＧ＿００３の画像データが保存されているため、このＰＣ（００４）に転送される画像データは、ＩＭＧ＿００５の画像データだけとなる。
【０１５１】
ステップＳ２４では、ステップＳ２３で特定したＩＭＧ＿００５の画像データをＰＣ（００４）に転送するとともに、この画像データに対して転送履歴を付加する。
【０１５２】
以上説明した各実施形態は、以下に示す各発明を実施した場合の一例でもあり、下記の各発明は上記各実施形態に様々な変更や改良が加えられて実施されるものである。
【０１５３】
〔発明１〕  画像データを記録する記録媒体が装着可能であるとともに、装置本体に装着された記録媒体あるいは装置本体内の記録媒体に記録されている画像データを外部機器に送信可能な撮像装置であって、
前記外部機器に対して画像データを含むデータの通信を行う通信手段と、
この通信手段の動作を制御する制御手段とを有し、
前記制御手段は、前記記録媒体に記録された複数の画像データのなかに前記外部機器に送信された送信済み画像データがあるか否かを判別し、前記送信済み画像データ以外の画像データを前記通信手段を介して前記外部機器に送信することを特徴とする撮像装置。
【０１５４】
上記発明１によれば、外部機器に送信済みの画像データ以外の画像データを自動的に（有線又は無線で）送信するため、従来技術のように画像データが重複して外部機器に送信されることがないとともに、送信する画像を一つ一つ選択する必要もない。これにより、画像データを外部機器に転送する際のユーザの負担を軽減することができる。
【０１５５】
〔発明２〕  複数の外部機器に前記画像データを送信可能な撮像装置であって、
前記制御手段は、前記通信手段を介して前記複数の外部機器のうち前記画像データが送信される外部機器を判別し、この判別された外部機器に対して前記送信済み画像データ以外の画像データを送信することを特徴とする前記発明１に記載の撮像装置。
【０１５６】
〔発明３〕  画像データを記録する記録媒体が装着可能であるとともに、装置本体に装着された記録媒体あるいは装置本体内の記録媒体に記録されている画像データを外部機器に送信可能な撮像装置であって、
撮影によって得られた画像データと、この画像データに対応して撮影に関する属性データを前記記録媒体に記録する記録手段と、
前記外部機器に対して画像データを含むデータの通信を行う通信手段と、
この通信手段の動作を制御する制御手段とを有し、
前記制御手段は、前記記録媒体に記録された複数の画像データのうち所定の属性データに対応した画像データを前記通信手段を介して前記外部機器に送信することを特徴とする撮像装置。
【０１５７】
上記発明３によれば、画像データとともに属性データを記録媒体に記録させておき、属性データに対応した画像データだけを（有線又は無線で）外部機器に送信するようにしているため、例えば、ユーザが属性データを指定するだけでこの指定された属性データに対応した画像データをまとめて外部機器に送信することができる。これにより、外部機器に画像データを送信する際のユーザの負担を軽減することができる。
【０１５８】
〔発明４〕  前記記録媒体に記録された前記属性データを選択する選択手段を有し、
前記制御手段は、前記複数の画像データのうち前記選択手段によって選択された前記属性データに対応した画像データを送信することを特徴とする前記発明３に記載の撮像装置。
【０１５９】
〔発明５〕  前記制御手段は、前記通信手段を介して前記外部機器で選択された前記属性データを取得し、この属性データに対応した画像データを送信することを特徴とする前記発明３に記載の撮像装置。
【０１６０】
〔発明６〕  前記記録媒体に記録された前記属性データを選択する選択手段を有し、
前記制御手段は、前記通信手段を介して前記外部機器で設定されている属性データを取得するとともに、この取得した属性データと前記選択手段によって選択された属性データとを比較し、一致している属性データに対応した画像データを送信することを特徴とする前記発明３に記載の撮像装置。
【０１６１】
〔発明７〕  前記属性データが、撮影画像に関するデータであることを特徴とする前記発明３から５のいずれかに記載の撮像装置。
【０１６２】
〔発明８〕  前記属性データが、使用者に関するデータであることを特徴とする前記発明６に記載の撮像装置。
【０１６３】
〔発明９〕  画像データを記録する記録媒体が装着可能であるとともに、装置本体に装着された記録媒体あるいは装置本体内の記録媒体に記録されている画像データを外部機器に送信可能な撮像装置に適用されるプログラムであって、
前記記録媒体に記録された複数の画像データのなかに前記外部機器に送信された送信済み画像データがあるか否かを判別し、前記送信済み画像データ以外の画像データを前記外部機器に送信することを特徴とするプログラム。
【０１６４】
〔発明１０〕  画像データを記録する記録媒体が装着可能であるとともに、装置本体に装着された記録媒体あるいは装置本体内の記録媒体に記録されている画像データを外部機器に送信可能な撮像装置に適用されるプログラムであって、
撮影によって得られた画像データと、この画像データに対応して撮影に関する属性データを前記記録媒体に記録する記録ステップと、
前記記録媒体に記録された複数の画像データのうち所定の属性情報に対応した画像データを前記外部機器に送信する制御を行う制御ステップとを有することを特徴とするプログラム。
【０１６５】
〔発明１１〕  画像データを記録する記録媒体が装着可能であるとともに、装置本体に装着された記録媒体あるいは装置本体内の記録媒体に記録されている画像データを外部機器に送信可能な撮像装置に適用される画像データの送信方法であって、
前記記録媒体に記録された複数の画像データのなかに前記外部機器に送信された送信済み画像データがあるか否かを判別し、前記送信済み画像データ以外の画像データを前記外部機器に送信することを特徴とする画像データの送信方法。
【０１６６】
〔発明１２〕  画像データを記録する記録媒体が装着可能であるとともに、装置本体に装着された記録媒体あるいは装置本体内の記録媒体に記録されている画像データを外部機器に送信可能な撮像装置に適用される画像データの送信方法であって、
撮影によって得られた画像データと、この画像データに対応して撮影に関する属性データを前記記録媒体に記録する記録ステップと、
前記記録媒体に記録された複数の画像データのうち所定の属性情報に対応した画像データを前記外部機器に送信する制御を行う制御ステップとを有することを特徴とする画像データの送信方法。
【０１６７】
【発明の効果】
本発明によれば、外部機器に送信済みの画像データ以外の画像データを自動的に送信するため、従来技術のように画像データが重複して外部機器に送信されることがないとともに、送信する画像を一つ一つ選択する必要もない。
【図面の簡単な説明】
【図１】本実施形態におけるカメラシステムのブロック図。
【図２】本実施形態における記録媒体内のディレクトリ構成図。
【図３】本実施形態における撮影情報データファイルの例。
【図４】第１実施形態においてＰＣへの画像データの転送イメージ図。
【図５】第１実施形態において画像データの転送動作を説明するフローチャート。
【図６】第２実施形態においてＰＣへの画像データの転送イメージ図。
【図７】第２実施形態において画像データの転送動作を説明するフローチャート。
【図８】第２実施形態において画像データの転送動作を説明するフローチャート。
【符号の説明】
１２：シャッタ
１４：撮像素子
１６：Ａ／Ｄ変換器
１８：タイミング発生回路
２０：画像処理回路
２２：メモリ制御回路
２４：画像表示メモリ
２６：Ｄ／Ａ変換器
２８：画像表示部    ３０：メモリ  ３２：画像圧縮・伸長回路
４０：シャッタ制御手段  ４２：測距手段  ４６：測光手段
４８：ストロボ
５０：システム制御回路  ５２：メモリ  ５４：表示部  ５６：不揮発性メモリ
６０：モードダイアルスイッチ  ６２：シャッタスイッチＳＷ１
６４：シャッタスイッチＳＷ２    ６６：再生スイッチ  ６８：単写／連写スイッチ
７０：操作部  ７２：電源スイッチ
８０：電源制御手段  ８２：コネクタ  ８６：電源手段
９０：インタフェース  ９２：コネクタ
９４：インタフェース  ９６：コネクタ
９８：記録媒体着脱検知手段
１００：画像処理装置
１０４：光学ファインダ  １０６：レンズマウント
１１０：通信手段  １１２：コネクタ（またはアンテナ）
１２０：インタフェース  １２２：コネクタ
１３０：ミラー  １３２：ミラー
２００：記録媒体  ２０２：記録部
２０４：インタフェース  ２０６：コネクタ
２１０：記録媒体  ２１２：記録部
２１４：インタフェース  ２１６：コネクタ
３００：レンズユニット  ３０６：レンズマウント
３１０：撮影レンズ  ３１２：絞り
３２０：インタフェース  ３２２：コネクタ
３４０：露光制御手段  ３４２：測距制御手段
３４４：ズーム制御手段  ３５０：レンズシステム制御回路
【図１】
2004297158.tif 000003
【図２】
2004297158.tif 000004
【図３】
2004297158.tif 000005
【図４】
2004297158.tif 000006
【図５】
2004297158.tif 000007
【図６】
2004297158.tif 000008
【図７】
2004297158.tif 000009
【図８】
2004297158.tif 000010